(57)【要約】輪郭補正回路において、入力色差信号を遅延させて第１の色差信号（ｂ１）、その前後の色差信号（ｂ４、ｂ５）を得る。また入力色差信号の高域成分の波形を整形し、第１の色差信号（ｂ１）に加算し（７）、この加算結果（ｅ）と、第１の色差信号（ｂ１）の前後の第４及び第５の色差信号（ｂ４、ｂ５）と、加算結果（ｅ）の中間値を選択して出力する中間値選択回路（４）を備え、入力色差信号の変化が急であるときは、上記の中間値を選択して出力し、それ以外のときは、上記の第１の色差信号（ｂ１）を選択して出力する。このように構成することで、大きな回路規模を要することなく、画質劣化が発生せずに、色の境界部での鮮鋭度が良好な色差信号を得ることができる。
2005084039.tif 000002
【特許請求の範囲】
【請求項１】
入力色差信号を遅延させて、第１の色差信号と、前記第１の色差信号よりも第１の所定時間後の前記入力色差信号に相当する第２の色差信号と、前記第１の色差信号よりも第１の所定時間前の前記入力色差信号に相当する第３の色差信号と、前記第１の色差信号よりも第２の所定時間後の前記入力色差信号に相当する第４の色差信号と、前記第１の色差信号よりも第２の所定時間前の前記入力色差信号に相当する第５の色差信号とを出力する遅延手段と、
前記第１、第２及び第３の色差信号に基づき、入力色差信号の高域成分を抽出する高域成分抽出手段と、
前記高域成分抽出手段の出力の波形を整形する波形整形手段と、
前記波形整形手段の出力を前記第１の色差信号に加算する加算手段と、
前記第４及び第５の色差信号と、前記加算手段の出力を受けて、これらの中間値を選択して出力する中間値選択手段と、
前記中間値選択手段の出力と、前記第１の色差信号のうちいずれか一方を選択する信号選択手段と、
前記入力色差信号の変化が急であるかどうかを判定し、判定結果に応じて、前記信号選択手段を制御する信号状態判定手段と
を備えたことを特徴とする色信号の輪郭補正回路。
【請求項２】
前記信号状態判定手段は、前記第１、第４及び第５の色差信号に基づいて、前記色差信号の変化が急であるかどうかの判定を行うことを特徴とする請求項１に記載の輪郭補正回路。
【請求項３】
前記信号状態判定手段は、前記入力色差信号の変化が急であると判定したときは、前記信号選択手段に前記中間値選択手段の出力を選択させ、
前記入力色差信号の変化がない又は変化が急ではないと判定したときは、前記信号選択手段に前記第１の色差信号を選択させることを特徴とする請求項１に記載の輪郭補正回路。
【請求項４】
前記波形整形手段は、
前記高域成分抽出手段の出力の振幅が第１の所定値以下の場合は、出力の振幅を零とし、前記高域成分抽出手段の出力の振幅が前記第１の所定値よりも大きい場合は、前記高域成分抽出手段の出力から前記第１の所定値を減じたものを出力するコアリング手段と、
前記コアリング手段の出力の振幅を制御する振幅制御手段とを備え、
前記振幅制御手段の出力を前記波形整形手段の出力とすることを特徴とする請求項１に記載の色信号の輪郭補正回路。
【請求項５】
前記信号状態判定手段は、
前記第４の色差信号が前記第１の色差信号よりも大きく、かつ、
前記第５の色差信号が前記第１の色差信号よりも小さい場合、
または、
前記第４の色差信号が前記第１の色差信号よりも小さく、かつ、
前記第５の色差信号が前記第１の色差信号よりも大きい場合に
前記入力色差信号の変化が急であると判定する
ことを特徴とする請求項３に記載の色信号の輪郭補正回路。
【請求項６】
前記信号状態判定手段は、
前記第４の色差信号が前記第１の色差信号に第２の所定値を加えたものよりも大きく、かつ
前記第５の色差信号が前記第１の色差信号に第２の所定値を加えたものよりも小さい場合、
または、
前記第４の色差信号が前記第１の色差信号に第２の所定値を加えたものよりも小さく、かつ
前記第５の色差信号が前記第１の色差信号に第２の所定値を加えたものよりも大きい場合に、
前記入力色差信号の変化が急であると判定する
ことを特徴とする請求項３に記載の色信号の輪郭補正回路。
【請求項７】
請求項１に記載の輪郭補正回路と、
前記色信号の輪郭補正回路から供給される映像信号を出力する手段と
を備えたことを特徴とする画像処理装置。
【請求項８】
請求項１に記載の輪郭補正回路と、
前記色信号の輪郭補正回路から供給される映像信号に応じた画像を表示する表示手段と
を備えたことを特徴とする画像表示装置。
【発明の詳細な説明】
【技術分野】
【０００１】  本発明は、画像表示装置などにおける色信号の輪郭補正回路に適用され、色信号を補正して画像の輪郭部の描写を改善する為の輪郭補正回路に関するものである。本発明はまた、そのような輪郭補正回路を備えた画像処理装置、及び画像表示装置に関する。
【背景技術】
【０００２】  現行テレビジョン方式では、色信号成分は輝度信号成分の数分の１の帯域でテレビジョン信号を構成するため、テレビジョン受像機でこのまま画像再生を行なうと色の解像度特性が低下したテレビ画像になる。このため、色信号に対しても輪郭強調の信号処理を行なって鮮鋭度の向上を図ることが行なわれる。
この輪郭補正処理を施す代表的な従来回路として、色信号を遅延させるとともに、２次微分し、これらを加算するものが知られている。この従来回路では、輪郭部をトランジェント特性良く補正することができず、輪郭部での色にじみや色惚けの改善に限界を有する問題がある。また、例えば下記の特許文献に開示された色信号の輪郭補正回路は、鮮鋭度向上の効果は得られるものの、色の境界部における色にじみ、色雑音の増加、無彩色部での色付き、変色などの画質劣化も発生している。また、これらの画質劣化を低減した輪郭強調を行なうには信号処理が複雑になり、回路規模が大きくなる、あるいはコスト高になるなどの問題があった。
【特許文献１】特開平３−７４７７号公報
【特許文献２】特開平５−３１６５３３号公報
【特許文献３】特開平１０−２９４９５０号公報
【発明の開示】
【発明が解決しようとする課題】
【０００３】  本発明の目的は、大きな回路規模を要することなく、画質劣化が発生せずに、色の境界部での鮮鋭度良好な色差信号となる輪郭補正回路を提供することにある。
【課題を解決するための手段】
【０００４】  本発明は、
入力色差信号を遅延させて、第１の色差信号と、前記第１の色差信号よりも第１の所定時間後の前記入力色差信号に相当する第２の色差信号と、前記第１の色差信号よりも第１の所定時間前の前記入力色差信号に相当する第３の色差信号と、前記第１の色差信号よりも第２の所定時間後の前記入力色差信号に相当する第４の色差信号と、前記第１の色差信号よりも第２の所定時間前の前記入力色差信号に相当する第５の色差信号とを出力する遅延手段と、
前記第１、第２及び第３の色差信号に基づき、入力色差信号の高域成分を抽出する高域成分抽出手段と、
前記高域成分抽出手段の出力の波形を整形する波形整形手段と、
前記波形整形手段の出力を前記第１の色差信号に加算する加算手段と、
前記第４及び第５の色差信号と、前記加算手段の出力を受けて、これらの中間値を選択して出力する中間値選択手段と、
前記中間値選択手段の出力と、前記第１の色差信号のうちいずれか一方を選択する信号選択手段と、
前記入力色差信号の変化が急であるかどうかを判定し、判定結果に応じて、前記信号選択手段を制御する信号状態判定手段と
を備えたことを特徴とする色信号の輪郭補正回路
を提供する。
【発明の効果】
【０００５】  本発明によれば、大きな回路を要することなく画質の劣化を起こさず色差信号の鮮鋭度を改善することが出来るという効果が得られる。
【図面の簡単な説明】
【０００６】［図１］実施の形態１の輪郭補正回路の概略的構成を示すブロック図である。
［図２］図１の遅延回路の内部構成を示すブロック図である。
［図３］図１の輪郭補正回路の各部に現われる信号を示す波形図である。
［図４］図１の信号状態判定回路の一例を示すブロック図である。
［図５］図４の回路の各部に現われる信号を示す波形図である。
［図６］実施の形態２の輪郭補正回路で用いられる信号状態判定回路を示すブロック図である。
［図７］図６の信号状態判定回路の各部に現われる信号を示す波形図である。
［図８］実施の形態１又は実施の形態２の輪郭補正回路を含む画像処理装置及び画像表示装置を示すブロック図である。
［図９］実施の形態４の輪郭補正回路の概略的構成を示すブロック図である。
【符号の説明】
【０００７】  １  遅延回路、２  高域成分抽出回路、３  波形整形回路、４  中間値選択回路、５  信号状態判定回路、６  信号選択回路、７  加算回路、１１  合成回路、１３  表示部、１５  信号状態判定回路。
【発明を実施するための最良の形態】
【０００８】実施の形態１．
図１はこの発明の実施の形態１の輪郭補正回路の概略的構成を示すブロック図である。図示のようにこの輪郭補正回路は、遅延回路１と、高域成分抽出回路２と、波形整形回路３と、中間値選択回路４と、信号状態判定回路５と、信号選択回路６とを備えている。【０００９】  遅延回路１は、入力色差信号ａを遅延させて、第１の色差信号ｂ１と、第１の色差信号ｂ１よりも第１の所定時間後の前記入力色差信号に相当する第２の色差信号ｂ２と、第１の色差信号ｂ１よりも第１の所定時間前の前記入力色差信号に相当する第３の色差信号ｂ３と、第１の色差信号ｂ１よりも第２の所定時間後の前記入力色差信号に相当する第４の色差信号ｂ４と、第１の色差信号ｂ１よりも第２の所定時間前の前記入力色差信号に相当する第５の色差信号ｂ５とを出力する。【００１０】  第１の所定時間ｔ１が第２の所定時間ｔ２よりも大きい場合は、遅延回路１は、図２（ａ）に示すように、第１〜第４の遅延素子１ａ、１ｂ、１ｃ、１ｄを直列接続したもので構成され、第２及び第３の遅延素子１ｂ、１ｃは第２の所定時間ｔ２に等しい遅延時間を有し、第１及び第４の遅延素子１ａ、１ｄの遅延時間ｔ３は、第１の所定時間ｔ１から第２の所定時間ｔ２を減じたもの（ｔ１−ｔ２）に等しい。この結果、第１、第２、第３、第４の遅延素子１ａ、１ｂ、１ｃ、１ｄの出力側に、第４、第１、第５、第３の色差信号ｂ４、ｂ１、ｂ５、ｂ３が得られる。また、遅延回路１に入力される色差信号ａが第２の色差信号ｂ２として用いられる。【００１１】  第１の所定時間ｔ１が第２の所定時間ｔ２よりも小さい場合は、遅延回路１は、図２（ｂ）に示すように、第１〜第４の遅延素子１ａ、１ｂ、１ｃ、１ｄを直列接続したもので構成され、第２及び第３の遅延素子１ｂ、１ｃは第１の所定時間ｔ１に等しい遅延時間を有し、第１及び第４の遅延素子１ａ、１ｄの遅延時間ｔ３は、第２の所定時間ｔ２から第１の所定時間ｔ１を減じたもの（ｔ２−ｔ１）に等しい。この結果、第１、第２、第３、第４の遅延素子１ａ、１ｂ、１ｃ、１ｄの出力側に、第２、第１、第３、第５の色差信号ｂ２、ｂ１、ｂ３、ｂ５が得られる。また、遅延回路１に入力される色差信号ａが第４の色差信号ｂ４として用いられる。【００１２】  第１の所定時間ｔ１が第２の所定時間ｔ２と等しい場合は、遅延回路１は、図２（ｃ）に示すように、第１及び第２の遅延素子１ａ、１ｂを直列接続したもので構成され、第１及び第２の遅延素子１ａ、１ｂはともに第１の所定時間ｔ１に等しい（従って第２の所定時間ｔ２にも等しい）遅延時間ｔ１＝ｔ２を有する。この結果、第１の遅延素子１ａの出力側に、第１の色差信号ｂ１が得られ、第２の遅延素子１ｂの出力側の信号が第３及び第５の色差信号ｂ３、ｂ５として用いられる。また、遅延回路１に入力される色差信号ａが第２及び第４の色差信号ｂ２、ｂ４として用いられる。【００１３】  また、図３は図１の回路の各部に現われる信号を示す波形図である。
図３（ａ）に示す入力色差信号ａが、遅延回路１に入力されると、遅延回路１から第１〜第５の色差信号ｂ１〜ｂ５が出力される。
遅延回路１から出力される色差信号のうち、第１、第２及び第３の色差信号ｂ１、ｂ２、ｂ３は高域成分抽出回路２に入力される。
高域成分抽出回路２は、第１、第２及び第３の色差信号ｂ１、ｂ２、ｂ３に基づき、入力色差信号の高域成分を抽出する。例えば、第２、第１、第３の色差信号ｂ２、ｂ１、ｂ３にそれぞれ係数値−１／４、１／２、−１／４を乗算し、乗算結果を加算することで、高域成分信号ｃを得る。即ち、高域成分信号ｃと色差信号ｂ２、ｂ１、ｂ３の関係は下式で表される。
ｃ＝−ｂ２／４＋ｂ１／２−ｂ３／４【００１４】  高域成分信号ｃは、波形整形回路３に供給され、波形整形される。波形整形回路３は、例えばコアリング処理部と振幅増幅処理部（振幅制御手段）とを含む。コアリング処理部は、高域成分信号ｃの値が所定の閾値（第１の所定値）±ＴＨ１以内のとき（高域成分信号ｃの絶対値が閾値ＴＨ１の絶対値以下のとき）は、その出力信号の値をゼロとし、高域成分信号ｃの値が±ＴＨ１を超えるとき（高域成分信号ｃの絶対値が閾値ＴＨ１の絶対値よりも大きいとき）は、高域成分信号ｃから閾値ＴＨ１を減じ（高域成分信号ｃの絶対値から閾値ＴＨ１の絶対値を減じ）、その結果を出力する。
振幅増幅処理部は、コアリング処理された波形を所定の倍率で増幅する。【００１５】  加算回路７では、波形整形回路３の出力信号ｄと遅延回路１からの第１の色差信号ｂ１を加算して、信号ｅを出力する。
中間値選択回路４では、第４及び第５の色差信号ｂ４、ｂ５と、加算回路７の出力ｅを受けて、これらの中間値を選択して出力する。このような中間値の選択により、輪郭を補正して鮮鋭度の優れた信号ｆを得る事が出来る。
信号選択回路６は、中間値選択回路４の出力ｆと、第１の色差信号ｂ１のうちいずれか一方を選択する。
信号状態判定回路５は、第１、第４及び第５の色差信号ｂ１、ｂ４、ｂ５に応じて、信号選択回路６を制御する。【００１６】  信号状態判定回路５及びこれに制御される信号選択回路６を設ける理由は以下の通りである。上記のように、中間値選択回路４では、第４及び第５の色差信号ｂ４、ｂ５と、加算回路７の出力ｅの中間値を選択して出力することにより、輪郭が補正され鮮鋭度の優れた信号ｆが得られる。
しかし、入力色差信号ａの波形によっては、中間値選択回路４の出力信号ｆで、無彩色部での色付き現象や、一部が本来の色ではない変色現象が発生する。
これは中間値選択回路４にて中間値を選択するときに、色差信号の値が変化しないとき、又は変化が緩やかであるときに、元の信号（波形整形を受けていない色差信号）以外の信号（高域成分抽出回路２による高域成分抽出、波形整形回路３による波形整形、加算回路７による加算の処理を受けた信号）が出力されることによって起こる。
そこで、本発明では、信号状態判定回路５で、入力される色差信号の変化の速度についての判定、即ち、入力される色差信号の変化が急であるかどうかを判定し、その判定結果に応じて、信号選択回路６で、色差信号ｂ１または中間値選択回路４の出力のいずれかを選択することとしている。即ち、色差信号の値が変化しないとき、又は変化が緩やかであるときは、入力色差信号を選択して出力することとし、色差信号の値の変化が急であるときは、中間値選択回路４の出力を選択している。【００１７】  図４は信号状態判定回路５の一例を示す。
この信号状態判定回路５は、
（ａ）第４の色差信号ｂ４が第１の色差信号ｂ１よりも大きく、かつ第５の色差信号ｂ５が第１の色差信号ｂ１よりも小さい場合、または、
（ｂ）第４の色差信号ｂ４が第１の色差信号ｂ１よりも小さく、かつ第５の色差信号ｂ５が第１の色差信号ｂ１よりも大きい場合に
入力色差信号の変化が急であると判定するものであり、例えば、図示のように、減算回路５ａおよび５ｂと、判定回路５ｃを有する。【００１８】  図５は、図４の回路の各部に現われる信号を示す波形図である。同図の（ｂ１）、（ｂ４）、（ｂ５）は図４の遅延回路１から出力される色差信号ｂ１、ｂ４、ｂ５を示し、（ｈ１）は図４の減算回路５ａの出力信号ｈ１を示し、（ｈ２）は減算回路５ｂの出力信号ｈ２を示し、（ｇ）は図４の信号状態判定回路５の出力信号ｇを示す。【００１９】  減算回路５ａは、第４の色差信号ｂ４から第１の色差信号ｂ１を減算し、減算結果として得られる信号ｈ１を出力する。減算回路５ｂは、第５の色差信号ｂ５から第１の色差信号ｂ１を減算し、減算結果を信号ｈ２として出力する。【００２０】  判定回路５ｃは、減算回路５ａ、５ｂから出力された信号ｈ１、ｈ２を比較し、符号が異なる場合に「１」となり、そうでない場合に「０」となる信号ｇを生成する。つまり、信号ｈ１が正であり、かつ信号ｈ２が負であるとき、又は信号ｈ１が負であり、かつ信号ｈ２が正であるときに、判定信号ｇの値は「１」となる。また、信号ｈ１、ｈ２がともに正であるとき、又は信号ｈ１、ｈ２がともに負であるとき、又は信号ｈ１、ｈ２の少なくとも一方が「０」であるときは、判定信号ｇの値は「０」となる。
このような処理を行う結果、信号ｂ１の変化が急であるときは、判定信号ｇの値は「１」となり、信号ｂ２が変化していないとき、又は変化が緩やかであるときは、判定信号ｇの値は「０」となる。【００２１】  信号選択回路６は、上記のようにして生成された判定信号ｇに基づき動作する。即ち、判定信号ｇが「１」のとき（即ち信号ｂ１の変化が急であるとき）は、中間値選択回路４から出力される信号ｆを選択して出力し、判定信号ｇが「０」のとき（即ち信号ｂ１の変化が緩やかであるとき、又は変化がないとき）には、元の色差信号（第１の色差信号）ｂ１を選択して出力する。
このような処理を行うことにより、信号選択回路６の出力側に、適切な信号を得ることができる。即ち、無彩色部での色付き現象や変色現象がなく、トランジェント特性の良好な輪郭補正が出来る。【００２２】実施の形態２．
実施の形態１の輪郭補正回路３の信号状態判定回路５の代わりに、図６に示す信号状態判定回路１５を用いることもできる。
図６に示す信号状態判定回路１５は、
（ａ）第４の色差信号ｂ４が第１の色差信号ｂ１に第２の所定値ＴＨ２を加えたものよりも大きく、かつ第５の色差信号ｂ５が第１の色差信号ｂ１に第２の所定値ＴＨ２を加えたものよりも小さい場合、または、
（ｂ）第４の色差信号ｂ４が第１の色差信号ｂ１に第２の所定値ＴＨ２を加えたものよりも小さく、かつ第５の色差信号ｂ５が第１の色差信号ｂ１に第２の所定値ＴＨ２を加えたものよりも大きい場合に、
入力色差信号の変化が急であると判定するものであり、図４に示す実施の形態１の信号状態判定回路５と概して同じであるが、減算回路５ａ、５ｂの出力側にコアリング回路５ｄ、５ｆを備え、判定回路５ｃがコアリング回路５ｄ、５ｅの出力に基づいて判定を行う点で異なる。
コアリング回路５ｄ、５ｅは減算回路５ａ、５ｂの出力に対してコアリング処理を行う。
コアリング回路５ｄにおけるコアリング処理では、減算回路５ａの出力信号ｈ１の値が所定の閾値±ＴＨ２以内のとき（信号ｈ１の絶対値が閾値ＴＨ２の絶対値以下のとき）は、コアリング回路５ｄの出力信号ｊ１の値が零となり、減算回路５ａの出力信号ｈ１の値が±ＴＨ２を越えるとき（信号ｈ１の絶対値が閾値ＴＨ２の絶対値よりも大きいとき）は、コアリング回路５ｄの出力信号ｊ１は、信号ｈ１と等しくされる。
同様に、コアリング回路５ｅにおけるコアリング処理では、減算回路５ｂの出力信号ｈ２の値が所定の閾値±ＴＨ２以内のとき（信号ｈ２の絶対値が閾値ＴＨ２の絶対値以下のとき）は、コアリング回路５ｅの出力信号ｊ２の値が零となり、減算回路５ｂの出力信号ｈ２の値が±ＴＨ２を越えるとき（信号ｈ２の絶対値が閾値ＴＨ２の絶対値よりも大きいとき）は、コアリング回路５ｅの出力信号ｊ２は、信号ｈ２と等しくされる。【００２３】  図７はこの図６の信号状態判定回路１５の各部に現われる信号を示す波形図である。
同図の（ｂ１）、（ｂ４）、（ｂ５）は、遅延回路１から出力される第１、第４、第５の色差信号を示し、（ｈ１）は図４の減算回路５ａの出力信号を示し、（ｈ２）は減算回路５ｂの出力信号を示す。
また、同図（ｊ１）および（ｊ２）は、同図のコアリング回路５ｄ、５ｅの出力信号を示す。さらに、同図の（ｇ）は判定回路５ｃの出力信号ｇを示す。
さらにまた、同図の（ｇ’）は、比較のため、コアリング処理を行わない場合、即ち、図４の信号状態判定回路５を用いた場合の、判定回路５ｃの出力信号を示す。
である。【００２４】  図７では、遅延回路１から供給される信号ｂ１、ｂ４、ｂ５に図示のようなスパイク状の雑音Ｎｓが混ざっている場合を想定している。【００２５】  判定回路５ｃは、コアリング回路５ｄ、５ｅの出力信号ｊ１、ｊ２を比較し、符号が異なる場合に「１」となり、そうでない場合に「０」となる信号ｇを生成する。つまり、信号ｊ１が正であり、かつ信号ｊ２が負であるとき、又は信号ｊ１が負であり、かつ信号ｊ２が正であるときに、判定信号ｇの値は「１」となる。また、信号ｊ１、ｊ２がともに正であるとき、又は信号ｊ１、ｊ２がともに負であるとき、又は信号ｊ１、ｊ２の少なくとも一方が「０」であるときは、判定信号ｇの値は「０」となる。【００２６】  実施の形態１と同様、図１の信号選択回路６は、上記のようにして生成された判定信号ｇが「１」のときは、中間値選択回路４から出力される信号ｆを選択して出力し、判定信号ｇが「０」のときには、元の色差信号（第１の色差信号）ｂ１を選択して出力する。
信号選択回路６で適切な信号を選択する。【００２７】  このような処理を行うことにより、信号選択回路６の出力側に、適切な信号を得ることができる。即ち、色付き現象や変色現象がなく、トランジェント特性の良好な輪郭補正が出来る。
また、コアリング回路５ｄ、５ｅを設けたことにより、雑音Ｎｓの影響を除去することができる。【００２８】実施の形態３．
図８は、実施の形態１及び実施の形態２で説明した輪郭補正回路１０に、合成回路１１を付加した画像処理装置１２を示すともに、これに更に表示部１３を付加した画像表示装置１４を示すものである。
合成回路１１は、輪郭補正回路１０から出力される輪郭補正された色差信号ｉを、別途図示しない回路で処理された輝度信号ｙと組合せて、色信号Ｒ、Ｇ、Ｂを生成して出力するものである。表示部１３は、合成回路１１から出力される色信号Ｒ、Ｇ、Ｂに基づいて画像表示を行う。
実施の形態１及び実施の形態２で説明した輪郭補正回路１０を用いることで、色の解像度特性が改善された映像を得ることができる。【００２９】実施の形態４．
実施の形態１では遅延回路１が第１乃至第５の色差信号ｂ１〜ｂ５を出力し、信号状態判定回路５が第１、第４及び第５の色差信号ｂ１、ｂ４及びｂ５に基いて信号選択回路６を制御しているが、代わりに、図９に示すように、遅延回路１として、第１乃至第５の色差信号ｂ１〜ｂ５に加えて第６及び第７の色差信号ｂ６及びｂ７を出力するものを用い、信号状態判定回路５として第１、第６及び第７の色差信号ｂ１、ｂ６及びｂ７に基いて信号選択回路６を制御するものを用いることとしても良い。
ここで、第６の色差信号ｂ６は、第１の色差信号ｂ１よりも第３の所定時間ｔ３後の前記入力色差信号に相当するものであり、第７の色差信号ｂ７は第１の色差信号ｂ１よりも第３の所定時間ｔ３前の前記入力色差信号に相当するものである。
第３の所定時間ｔ３は、第２の所定時間ｔ２よりも小さい場合と、第２の所定時間ｔ２よりも大きい場合と、第２の所定時間ｔ２と等しい場合がある。第２の所定時間ｔ２と第１の所定時間ｔ１の関係は、実施の形態１と同様である。【００３０】  信号状態判定回路５は、第１、第４及び第５の色差信号ｂ１、ｂ４及びｂ５の代わりに、第１、第６及び第７の色差信号ｂ１、ｂ６及びｂ７に対して同様の処理を行って（第４の色差信号ｂ４の代りに第６の色差信号ｂ６を用い、第５の色差信号ｂ５の代わりに第７の色差信号ｂ７を用いて）、入力される色差信号の変化の速度についての判定、即ち、入力される色差信号の変化が急であるかどうかを判定を行う。そしてその判定結果を示す判定信号ｇを出力する。信号選択回路６は、判定信号ｇに基いて、色差信号ｂ１または中間値選択回路４の出力のいずれかを選択する。
なお、実施の形態２で説明した信号状態判定回路１５を用いる場合にも上記と同様に、第４の色差信号ｂ４の代りに第６の色差信号ｂ６を用い、第５の色差信号ｂ５の代わりに第７の色差信号ｂ７を用いることとしても良い。
上記のような改変を行った場合にも、色付き現象や変色現象がなく、トランジェント特性良好な輪郭補正を行うことができる。
【図１】
2005084039.tif 000003
【図２】
2005084039.tif 000004
【図３】
2005084039.tif 000005
【図４】
2005084039.tif 000006
【図５】
2005084039.tif 000007
【図６】
2005084039.tif 000008
【図７】
2005084039.tif 000009
【図８】
2005084039.tif 000010
【図９】
2005084039.tif 000011
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
入力色差信号を遅延させて、第１の色差信号と、前記第１の色差信号よりも第１の所定時間後の前記入力色差信号に相当する第２の色差信号と、前記第１の色差信号よりも第１の所定時間前の前記入力色差信号に相当する第３の色差信号と、前記第１の色差信号よりも第２の所定時間後の前記入力色差信号に相当する第４の色差信号と、前記第１の色差信号よりも第２の所定時間前の前記入力色差信号に相当する第５の色差信号とを出力する遅延手段と、
前記第１、第２及び第３の色差信号に基づき、入力色差信号の高域成分を抽出する高域成分抽出手段と、
前記高域成分抽出手段の出力の波形を整形する波形整形手段と、
前記波形整形手段の出力を前記第１の色差信号に加算する加算手段と、
前記第４及び第５の色差信号と、前記加算手段の出力を受けて、これらの中間値を選択して出力する中間値選択手段と、
前記中間値選択手段の出力と、前記第１の色差信号のうちいずれか一方を選択する信号選択手段と、
前記第１、第４及び第５の色差信号に基づいて、前記入力色差信号の変化が急であるかどうかを判定し、判定結果に応じて、前記信号選択手段を制御する信号状態判定手段と
を備えたことを特徴とする色信号の輪郭補正回路。
【請求項２】
前記信号状態判定手段は、前記入力色差信号の変化が急であると判定したときは、前記信号選択手段に前記中間値選択手段の出力を選択させ、
前記入力色差信号の変化がない又は変化が急ではないと判定したときは、前記信号選択手段に前記第１の色差信号を選択させることを特徴とする請求項１に記載の輪郭補正回路。
【請求項３】
前記波形整形手段は、
前記高域成分抽出手段の出力の振幅が第１の所定値以下の場合は、出力の振幅を零とし
、前記高域成分抽出手段の出力の振幅が前記第１の所定値よりも大きい場合は、前記高域成分抽出手段の出力から前記第１の所定値を減じたものを出力するコアリング手段と、
前記コアリング手段の出力の振幅を制御する振幅制御手段とを備え、
前記振幅制御手段の出力を前記波形整形手段の出力とすることを特徴とする請求項１に記載の色信号の輪郭補正回路。
【請求項４】
前記信号状態判定手段は、
前記第４の色差信号が前記第１の色差信号よりも大きく、かつ、
前記第５の色差信号が前記第１の色差信号よりも小さい場合、
または、
前記第４の色差信号が前記第１の色差信号よりも小さく、かつ、
前記第５の色差信号が前記第１の色差信号よりも大きい場合に
前記入力色差信号の変化が急であると判定する
ことを特徴とする請求項２に記載の色信号の輪郭補正回路。
【請求項５】
前記信号状態判定手段は、
前記第４の色差信号が前記第１の色差信号に第２の所定値を加えたものよりも大きく、かつ
前記第５の色差信号が前記第１の色差信号に第２の所定値を加えたものよりも小さい場合、
または、
前記第４の色差信号が前記第１の色差信号に第２の所定値を加えたものよりも小さく、かつ
前記第５の色差信号が前記第１の色差信号に第２の所定値を加えたものよりも大きい場合に、
前記入力色差信号の変化が急であると判定する
ことを特徴とする請求項２に記載の色信号の輪郭補正回路。
【請求項６】
請求項１乃至４のいずれか一項に記載の輪郭補正回路と、
前記色信号の輪郭補正回路から供給される映像信号を出力する手段と
を備えたことを特徴とする画像処理装置。
【請求項７】
請求項１乃至４のいずれか一項に記載の輪郭補正回路と、
前記色信号の輪郭補正回路から供給される映像信号に応じた画像を表示する表示手段と
を備えたことを特徴とする画像表示装置。
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
入力色差信号を遅延させて、第１の色差信号と、前記第１の色差信号よりも第１の所定時間後の前記入力色差信号に相当する第２の色差信号と、前記第１の色差信号よりも第１の所定時間前の前記入力色差信号に相当する第３の色差信号と、前記第１の色差信号よりも第２の所定時間後の前記入力色差信号に相当する第４の色差信号と、前記第１の色差信号よりも第２の所定時間前の前記入力色差信号に相当する第５の色差信号とを出力する遅延手段と、
前記第１、第２及び第３の色差信号に基づき、入力色差信号の高域成分を抽出する高域成分抽出手段と、
前記高域成分抽出手段の出力の波形を整形する波形整形手段と、
前記波形整形手段の出力を前記第１の色差信号に加算する加算手段と、
前記第４及び第５の色差信号と、前記加算手段の出力を受けて、これらの中間値を選択して出力する中間値選択手段と、
前記中間値選択手段の出力と、前記第１の色差信号のうちいずれか一方を選択する信号選択手段と、
前記第１、第４及び第５の色差信号に基づいて、前記入力色差信号の変化が急であるかどうかを判定し、判定結果に応じて、前記信号選択手段を制御する信号状態判定手段とを備え、
前記信号状態判定手段は、
前記第４の色差信号が前記第１の色差信号よりも大きく、かつ、
前記第５の色差信号が前記第１の色差信号よりも小さい場合、
または、
前記第４の色差信号が前記第１の色差信号よりも小さく、かつ、
前記第５の色差信号が前記第１の色差信号よりも大きい場合に
前記入力色差信号の変化が急であると判定する
ことを特徴とする色信号の輪郭補正回路。
【請求項２】
入力色差信号を遅延させて、第１の色差信号と、前記第１の色差信号よりも第１の所定時間後の前記入力色差信号に相当する第２の色差信号と、前記第１の色差信号よりも第１の所定時間前の前記入力色差信号に相当する第３の色差信号と、前記第１の色差信号よりも第２の所定時間後の前記入力色差信号に相当する第４の色差信号と、前記第１の色差信号よりも第２の所定時間前の前記入力色差信号に相当する第５の色差信号とを出力する遅延手段と、
前記第１、第２及び第３の色差信号に基づき、入力色差信号の高域成分を抽出する高域成分抽出手段と、
前記高域成分抽出手段の出力の波形を整形する波形整形手段と、
前記波形整形手段の出力を前記第１の色差信号に加算する加算手段と、
前記第４及び第５の色差信号と、前記加算手段の出力を受けて、これらの中間値を選択して出力する中間値選択手段と、
前記中間値選択手段の出力と、前記第１の色差信号のうちいずれか一方を選択する信号選択手段と、
前記第１、第４及び第５の色差信号に基づいて、前記入力色差信号の変化が急であるかどうかを判定し、判定結果に応じて、前記信号選択手段を制御する信号状態判定手段とを備え、
前記信号状態判定手段は、
前記第４の色差信号が前記第１の色差信号に第２の所定値を加えたものよりも大きく、かつ
前記第５の色差信号が前記第１の色差信号に第２の所定値を加えたものよりも小さい場合、
または、
前記第４の色差信号が前記第１の色差信号に第２の所定値を加えたものよりも小さく、かつ
前記第５の色差信号が前記第１の色差信号に第２の所定値を加えたものよりも大きい場合に、
前記入力色差信号の変化が急であると判定する
ことを特徴とする色信号の輪郭補正回路。
【請求項３】
前記信号状態判定手段は、前記入力色差信号の変化が急であると判定したときは、前記信号選択手段に前記中間値選択手段の出力を選択させ、
前記入力色差信号の変化がない又は変化が急ではないと判定したときは、前記信号選択手段に前記第１の色差信号を選択させることを特徴とする請求項１又は２に記載の輪郭補正回路。
【請求項４】
前記波形整形手段は、
前記高域成分抽出手段の出力の振幅が第１の所定値以下の場合は、出力の振幅を零とし
、前記高域成分抽出手段の出力の振幅が前記第１の所定値よりも大きい場合は、前記高域成分抽出手段の出力から前記第１の所定値を減じたものを出力するコアリング手段と、
前記コアリング手段の出力の振幅を制御する振幅制御手段とを備え、
前記振幅制御手段の出力を前記波形整形手段の出力とすることを特徴とする請求項１又は２に記載の色信号の輪郭補正回路。
【請求項５】
請求項１乃至４のいずれか一項に記載の輪郭補正回路と、
前記色信号の輪郭補正回路から供給される映像信号を出力する手段と
を備えたことを特徴とする画像処理装置。
【請求項６】
請求項１乃至４のいずれか一項に記載の輪郭補正回路と、
前記色信号の輪郭補正回路から供給される映像信号に応じた画像を表示する表示手段と
を備えたことを特徴とする画像表示装置。
【国際調査報告】
2005084039.tif 000012
2005084039.tif 000013
2005084039.tif 000014
2005084039.tif 000015